(57)【特許請求の範囲】
【請求項１】
棚板に底板を商品の前出し方向と平行に着脱自在に設けかつ該底板上の商品の前出し方向に直交する方向に移動可能に設けて、前記底板に商品押し板を商品の前出し方向に進退移動自在に設け、前記商品押し板の側部に前記底板上の商品を区分けすると共に商品の前出し移動をガイドする仕切板兼用引出し具を回動自在に軸支する突起を設け、該突起に該仕切板兼用引出し具の孔又は長孔を嵌めることで、該商品押し板に対し該仕切板兼用引出し具を着脱自在に設けて前記商品押し板に上下方向に回動自在に軸支してなり、前記棚板の商品取出部位近傍で前記商品押し板をその移動を規制するストッパー機構により停止させるものであって、
該突起は、側方に向けて突出する円形断面の基部と、該基部の先端から上方へ延び上端が該基部の上端より上方に位置する先端突起部とからなることを特徴とする商品陳列具。
【請求項２】
前記底板にスライド溝を設け、該スライド溝に商品押し板を移動自在に設けてなる請求項１記載の商品陳列具。
【請求項３】
前記商品押し板に押し面積拡大補助具を着脱自在に設けてなる請求項１又は２に記載の商品陳列具。
【請求項４】
前記ストッパー機構は前記棚板の商品取出部位近傍に設けた商品落下防止具である請求項１〜３のいずれか１項に記載の商品陳列具。
【発明の詳細な説明】
【０００１】
【発明の属する技術分野】
本発明は、主にコンビニエンスストアーやスーパー等の店内に設置されている商品陳列ケースの棚等に載置することにより用いられ、商品の手動前出しが容易に出来る商品陳列具に関する。
【０００２】
【従来の技術】
従来、コンビニエンスストアーやスーパー等では、図１２に示すような商品陳列ケース５０の各商品陳列棚５１に、多種類の商品５２が豊富に陳列されている。商品５２は手前の方から売れてゆくため、必然的に手前の部分が空くことになるから、奥にある商品５２を手前に出す所謂前出し作業が必要となる。この為、種々の自動又は半自動の前出し機能を備えた商品陳列棚又は商品陳列具が多数提案されている。例えば、(1) 自動前出し機能を有するものとしては、収納ケース５３の底部に多数のローラ５４が商品陳列ケース５０の扉５５側に下り勾配となるように取り付けられた商品陳列具５６がある（特開平８−２４０９１号公報参照）。この商品陳列具５６は、商品５２を仕切る機能を有する仕切り板５７、５７における幅寸法が決められているから、その幅寸法に適合する商品５２のみが利用できる。従って、商品５２のサイズに合わせた複数種類の商品陳列具５６を取り揃えておく必要がある。
【０００３】
(2) 手動前出し機能を有するものとしては、図１３に示すように、仕切り板５７の下端を棚板５８の上面に設けたスライド溝５９に嵌めると共に、仕切り板５７の後端に商品押し板６０を連設し、この商品押し板６０に設けた爪片６１をスライド溝５９に嵌めてなり、棚板５８上の奥に残った商品５２を仕切り板５７を引き寄せることにより、前出しできる商品陳列具６２がある（実公平５−２７８９４号公報参照）。
【０００４】
また、(3) 手動前出し機能を有するものとしては、図１４に示すように、底板５８ａの一側に仕切り板５７を起立させて連設し、この仕切り板５７にスライド溝５９を設け、このスライド溝５９に商品押し板６０を設けた引出し具６３を嵌めてなり、底板５８ａ上の奥に残った商品を引出し具６３を引き寄せることにより、前出しできる商品陳列具６４がある（実開昭６３−１４０２５４号公報参照）。
【０００５】
更に、(4) 手動前出し機能を有するものとしては、図１５に示すように、商品落下防止枠のある棚板５８上にＬ型仕切り板６５を配置し、このＬ型仕切り板６５に商品押し板６０及び引出し具６３をそれぞれ嵌合することでガイドする案内板６６を設け、かつ引出し具６３に衝合片６７を設けて商品押し板６０を後押し可能に構成してなり、Ｌ型仕切り板６５上の奥に残った商品５２を引出し具６３を引き寄せることにより、衝合片６７を介して商品押し板６０を後押して前出し出来るようにした商品陳列具６８がある（実開平４−１２５７６１号公報参照）
。
【０００６】
【発明が解決しようとする課題】
従来の(1) 商品陳列具５６は、上記の通り複数種類のものを取り揃えておく必要があるから、その費用が高く管理も煩雑となりやすい。また、この商品陳列具５６はサイズが決まっているから、商品陳列ケース５０内の各商品陳列棚５１の模様替えをするときの自由度が低く、やりずらい。更に、この商品陳列具５６は、商品５２のサイズ毎に１台必要になり、その製作費用が高くなりがちである。  (2) の商品陳列具６２は、仕切り板５７に連設した商品押し板６０の爪片６１をスライド溝５９に単に嵌めているだけだから、不用意に仕切り板５７を引き寄せると、棚板５８上の商品５２と共に棚板５８から脱落してしまう恐れがある。  (3) の商品陳列具６４は、ユニットになっているが、商品陳列棚５１への止め方によっては、勢い良くあるいは不用意に引出し具６３を引き寄せたりすると、底板５８ａ上の商品５２と共に引出し具６３自体も、商品陳列棚５１から脱落してしまう恐れがある。更に商品落下防止具６９の高さが引出し具６３の設置高さに規制されるから、背の高い商品ではやはり商品陳列棚５１から脱落する可能性がある。
(4) の商品陳列具６８も、ユニットになっているが、棚板５８上に単に載せてあるだけだから、商品５２が円筒状の缶ジュースで前出しする時や、引出し具６３を斜め方向に強く引き寄せてしまった時に、商品陳列具６８がずれてしまい、陳列してある商品５２がばらばらになってしまう。更に、更に商品落下防止具６９の高さが引出し具６３の設置高さに規制されるから、背の高い商品ではやはり商品陳列棚５１から脱落する可能性がある。
【０００７】
従って、本発明の目的は、様々な商品サイズに対応出来、棚板上の商品がバラバラになったり、商品と共に構成部品が棚等から脱落したり、背の高い商品であっても落下する様なことがなく、手動で商品をスムーズかつ確実に前出しすることができる商品陳列具を提供することにある。
【０００８】
【課題を解決するための手段】
かかる状況において、本発明者は、鋭意検討を行った結果、棚板に底板を着脱自在に設けかつ底板上の商品の前出し方向に直交する方向に移動可能に設け、更に底板に商品押し板を進退移動自在に設けて、商品を区分けし移動をガイドする仕切板兼用引出し具を商品押し板に回動自在に軸支し、商品押し板をストッパー機構により棚板の商品取出部位近傍で停止できるようにすれば、様々な商品サイズに対応出来、棚板上の商品がバラバラになったり、商品と共に構成部品が棚等から脱落するようなことがなく、商品をスムーズかつ確実に前出しすることができることを見い出し、本発明を完成するに至った。
【０００９】
すなわち、本請求項１に係る発明は、棚板に底板を商品の前出し方向と平行に着脱自在に設けかつ該底板上の商品の前出し方向に直交する方向に移動可能に設けて、前記底板に商品押し板を商品の前出し方向に進退移動自在に設け、前記商品押し板の側部に前記底板上の商品を区分けすると共に商品の前出し移動をガイドする仕切板兼用引出し具を回動自在に軸支する突起を設け、該突起に該仕切板兼用引出し具の孔又は長孔を嵌めることで、該商品押し板に対し該仕切板兼用引出し具を着脱自在に設けて前記商品押し板に上下方向に回動自在に軸支してなり、前記棚板の商品取出部位近傍で前記商品押し板をその移動を規制するストッパー機構により停止させるものであって、該突起は、側方に向けて突出する円形断面の基部と、該基部の先端から上方へ延び上端が該基部の上端より上方に位置する先端突起部とからなることを特徴とする商品陳列具を提供するものである。かかる構成を採ることにより、底板上に載せた商品のサイズに合わせて底板を移動して棚板に設置し、背の高い商品に対応したストッパー機構を設置してあっても、仕切板兼用引出し具を上方に回動して手前に引けば、商品を区分けしつつ、商品の前出し移動をガイドして、商品を前出しでき、ストッパー機構により商品及び商品押し板は商品取出部位近傍で停止するから、商品、商品押し板及び仕切板兼用引出し具が脱落しない。また、仕切板兼用引出し具が不必要の時外せるし、新しい仕切板兼用引出し具と取り替え得る。また、商品を前出しするため仕切板兼用引出し具により商品押し板を引き出した後、仕切板兼用引出し具を元に押し戻すと、仕切板兼用引出し具が商品押し板上を滑り移動して元に戻り、商品押し板は引き出した位置に留まり、戻らない分その負荷が減る。
【００１０】
また、本請求項２に係る発明は、前記底板に所定長さのスライド溝を設け、該スライド溝に商品押し板を移動自在に設けてなる商品陳列具を提供するものである。かかる構成を採ることにより、上記機能に加え、スライド溝の長さを規制することで、商品押し板の移動量を制限できストッパー機構とすることも可能になり、少なくとも商品押し板及び仕切板兼用引出し具を商品取出部位近傍で停止させることが出来る。
【００１３】
また、本請求項３に係る発明は、前記商品押し板に押し面積拡大補助具を着脱自在に設けてなる商品陳列具を提供するものである。かかる構成を採ることにより、商品押し板に押し面積拡大補助具を着せば、その分大きな商品を前出し出来る。
【００１４】
また、本請求項４に係る発明は、前記ストッパー機構は前記棚板の商品取出部位近傍に設けた商品落下防止具である商品陳列具を提供するものである。かかる構成を採ることにより、仕切板兼用引出し具により商品を前出しした際、棚板に設けた商品落下防止具に商品が当たり、それ以上商品を前出し出来ず、商品、商品押し板及び引出し具を棚板から脱落させない。
【００１５】
【発明の実施の形態】
以下、実施の形態をあげて本発明を図１〜１１に基づいて詳述する。
図１は本発明の実施形態である商品陳列具の使用状態を示す斜視図、図２は図１の商品陳列具の斜視図、図３は図１の商品陳列具を構成する商品押し板と仕切板兼用引出し具との取り付け状況を示す斜視図、図４は図１のIV−IV線に沿う断面図である。図において、商品陳列具１は、棚板３上に設けられ商品２を手動前出しするもので、棚板３に底板４を商品２の前出し方向（Ａ方向）と平行に着脱自在に設けかつ底板４上の商品２の前出し方向に直交する方向（Ｂ方向）に移動可能に設けて、底板４に商品押し板５を商品２の前出し方向に進退移動自在に設け、底板４上の商品２を区分けすると共に商品２の前出し移動をガイドする仕切板兼用引出し具６を商品押し板５に回動自在に軸支してなり、棚板３の商品取出部位Ｇ近傍で商品押し板５をその移動を規制するストッパー機構７により停止させるものである。
【００１６】
前記棚板３は、矩形状をなし、その切欠３ａにより商品陳列ケースの陳列段の止め金（不図示）上に載置するもので、多数の商品２の重量に耐え得るように、強度面から箱状になっている。棚板３の商品取出部位Ｇ近傍には底板４を着脱自在かつ商品２の前出し方向に直交する方向、すなわち、矢線Ｂ方向に移動可能にするためのレール１０が設けられている。なお、図１中３ｂは商品名等の表示部である。また、棚板３上の底板４に置く商品２は円筒状の缶飲料、直方体の紙パック飲料、板状物、瓶入り飲料など限定がない。
【００１７】
前記底板４上面の側端部には所定長さのスライド溝１１が形成され、このスライド溝１１内に前記商品押し板５の下部に設けられたスライド片１２が移動自在に嵌められている。従って、商品押し板５は底板４に設けられた所定長さのスライド溝１１内に限り、矢線Ａ方向に進退移動することが出来て、少なくとも商品押し板５及び仕切板兼用引出し具６が底板４から脱落することはない。また、底板４の商品取出部位Ｇ側の上端部に設けられた嵌め穴１３に商品落下防止具１４が嵌められ、その下端部に前記棚板３のレール１０に沿い嵌めることのできる溝部１５が設けられている。従って、底板４は棚板３上で図１中矢線Ｂ方向に自在に移動できる。
【００１８】
前記商品押し板５は、前述のように、下部にスライド片１２が設けられ、更に図３に示すように、上部側面に前記仕切板兼用引出し具６を回動自在に軸支する突起２０が設けられている。そして、この突起２０に仕切板兼用引出し具６の孔２１を嵌めることで、商品押し板５に対し仕切板兼用引出し具６を回動自在に軸支する。この仕切板兼用引出し具６の商品取出部位Ｇ側の端部に引き出すのに都合良いように孔２２が設けられている。従って、この仕切板兼用引出し具６を用いて商品２を前出しするには、孔２２を手指で掴みそのまま引き出しても、あるいは商品２の背が高いため商品落下防止具１４が高くなっている場合には、仕切板兼用引出し具６を上に挙げ商品落下防止具１４を避けて引き出せば、商品押し板５により商品２を前出しできる。
【００１９】
そして、前記ストッパー機構７は、図１における商品陳列具１の場合、商品押し板５と相まって商品落下防止具１４により構成される。すなわち、この商品陳列具１は、仕切板兼用引出し具６により商品２と共に商品押し板５を引き出して行き、底板４の所定長さのスライド溝１１の商品取出部位Ｇ側の端部１１ａに商品押し板５のスライド片１２が当たり、商品押し板５が止まるから、商品押し板５及び仕切板兼用引出し具６が脱落することはない。しかし、商品２が脱落する恐れがあるから、商品落下防止具１４により商品２の脱落を防いでいる。また、スライド溝１１が底板４の商品取出部位Ｇ側の端まであっても、商品２が有る場合は商品２が、商品２が無くても商品押し板５が最終的に商品落下防止具１４に当たり止まるから、それ以上引き出せず商品２と共に商品押し板５及び仕切板兼用引出し具６も脱落することがない。
【００２０】
次に、上記構成になる商品陳列具１の使用方法を説明する。
まず、棚板３、必要数の商品陳列具１を用意し、商品陳列ケースの陳列段の止め金（不図示）上に切欠３ａを嵌めて、陳列段に棚板３を載置する。次に、図１に示すように、棚板３のレール１０に必要数の商品陳列具１を嵌め、最後に仕切り板８を有するエンド商品陳列具１Ａを嵌め、これらを図１中矢線Ｂ方向に移動して棚板３上の商品２のサイズに合わせて設置する。設置した各商品陳列具１及びエンド商品陳列具１Ａ間に商品２を足して行き満たす。そして、取り出したい商品２が商品取出部位Ｇから離れ奥にある時は、仕切板兼用引出し具６の孔２２を手指で掴みそのまま引き出すか、仕切板兼用引出し具６が商品落下防止具１４に当たる場合は、仕切板兼用引出し具６を上に挙げ商品落下防止具１４を避けて引き出せば、商品押し板５により商品２を押すから前出しできる。その際、商品２が有っても無くても商品押し板５が最終的に商品落下防止具１４に当たり止まって、商品２と共に商品押し板５及び仕切板兼用引出し具６が脱落することがない。そして、商品２を取り出した後、仕切板兼用引出し具６を元に押し戻すことで商品押し板５を元の位置に戻すことが出来る。
【００２１】
図５は本発明の他の実施形態である商品陳列具１ａを示し、この図５の商品陳列具１ａと図１〜４に示す商品陳列具１との相違点は、底板４の幅寸法が２倍ほどあり、所定長さのスライド溝１１が底板４上面の側端部ではなく内側のほぼ中央部に設けられ、従って、仕切板兼用引出し具６を境にして同じ底板４の一方４ａ、他方４ｂ上に商品２を載置できるようにしている点にある。そして、底板４の他方４ｂ上の商品２は、後に詳述する押し面積拡大補助具３０により前出しされる。その他の構成、作用は図１〜４の実施形態とほぼ同様であるから、図面に符号を付してその説明を省略する。
【００２２】
図６〜８は本発明の他の実施形態である商品陳列具１ｂを示し、この商品陳列具１ｂと図１〜４に示す商品陳列具１との相違点は、長孔２１ａを開けた仕切板兼用引出し具６ａを商品押し板５の突起２０に嵌め、商品押し板５に仕切板兼用引出し具６ａを回動自在かつ商品２の前出し方向、すなわち、Ａ方向にスライド自在に係合してなる点にある。従って、図６に示すように、仕切板兼用引出し具６ａにより商品押し板５を引出し商品２を前出しした後、仕切板兼用引出し具６ａを元に戻しても、図８に示すように、商品押し板５の突起２０上をスライドして仕切板兼用引出し具６ａのみが元に戻り、商品押し板５を戻さない分その負荷が減る。その他の構成、作用は図１〜４の実施形態とほぼ同様であるから、図面に符号を付してその説明を省略する。
【００２３】
図９〜１１は本発明の他の実施形態である商品陳列具１ｃを示し、この商品陳列具１ｃと図１〜４に示す商品陳列具１との相違点は、商品押し板５に押し面積拡大補助具３０を着脱自在に設けて、商品２のサイズが商品押し板５に比して大きい場合に、商品押し板５に押し面積拡大補助具３０を着して、商品２のサイズが大でもスムーズに前出し出来るようにした点にある。すなわち、商品押し板５に設けた３つのスリット３１のうち２つに商品２のサイズに合わせて、押し面積拡大補助具３０の２つの掛止部３２を掛けて商品２の押し面積を拡大するものである。図９は商品押し板５より大きく、更に大きくするには図１１に示すようにすることで、達成される。その他の構成、作用は図１〜４の実施形態とほぼ同様であるから、図面に符号を付してその説明を省略する。
【００２４】
本発明の実施形態である商品陳列具１（１Ａ、１ａ、１ｂ、１ｃも同様）を棚板３に設置する方法は、図１に示す棚板３に設けたレール１０に商品陳列具１の底板４の溝部１５を嵌める方法以外に、以下に示すような種々の形態がある。しかし、この設置方法には、特に限定がないから、以下に示す設置方法以外の形態も本発明の範囲内である。(1) 棚板３にＵ字型のレールを設け、このレールに沿い移動可能に嵌めることのできる溝部を底板４に設けたもの。(2) 棚板３に半円型のレールを設け、このレールに沿い移動可能に嵌めることのできる溝部を底板４に設けたもの。(3) 棚板３に凹溝を設け、この凹溝に沿い移動可能に嵌めることのできる突起片を底板４の下端部に設けたもの。(4) 棚板３に凹溝を設け、この凹溝に沿い細長い板を嵌め、更にこの細長い板上に沿い移動可能に嵌めることのできる７型スライド部を底板４上面に設けたもの。この場合の７型スライド部は商品落下防止具１４を兼ねることになる。
【００２５】
(5) 更に棚板３に凹溝を設け、この凹溝に沿い丸棒製柵を嵌め、更にこの丸棒製柵の丸棒に沿い移動可能に嵌めることのできる丸溝を商品落下防止具１４の側面部に設けたもの。なお、この商品落下防止具１４は棚板３上面に設けられる。(6) 棚板３に凹溝を設け、この凹溝に沿いピッチ板を嵌め、更にこのピッチ板のピッチ孔に嵌めることの出来る突起（不図示）を底板４の下面に設けたもの。（7)棚板３に凹溝を設け、この凹溝に沿いラックを嵌め、更にこのラックの歯に噛合出来るラックを商品落下防止具１４の側面部に設けたもの。なお、この商品落下防止具１４は棚板３上面に設けられる。(8) (7) のものに、商品落下防止具１４の反対側の棚板３端部に同じラックを設け、更にこのラックの歯に噛合出来る歯（不図示）を底板４の端部に設けたもの。(9) (1) と同じＵ字型のレールを商品落下防止具１４の反対側の棚板３端部に設け、このレールに沿い移動可能に嵌めることのできる溝部を底板４の端部に設けたもの。(10) (1)のレール及び溝部と、(9)のレール及び溝部とを組み合わせたものである。
【００２６】
以上、本発明の実施形態を説明したが、具体的な構成はこれに限定されず、本発明の要旨を逸脱しない範囲での変更、追加は本発明の範囲内である。
【００２７】
【発明の効果】
以上詳述したように、請求項１の発明によれば、底板上に載せた商品のサイズに合わせて底板を移動して棚板に設置し、背の高い商品に対応したストッパー機構を設置してあっても、仕切板兼用引出し具を上方に回動して手前に引けば、商品を区分けしつつ、商品の前出し移動をガイドして、商品を前出しでき、ストッパー機構により商品及び商品押し板は商品取出部位近傍で停止するから、商品、商品押し板及び仕切板兼用引出し具が脱落しない。従って、様々な商品サイズに対応出来、底板上の商品がバラバラになったり、商品と共に構成部品が棚等から脱落したり、背の高い商品でも落下する様なことがなく、商品を確実に前出しすることができ、しかも保有あるいは在庫管理をすべき構成品の種類が少なくて済む効果がある。また、仕切板兼用引出し具が不必要の時外せるし、新しい仕切板兼用引出し具と取り替え得る。従って、上記効果に加え、商品陳列具を設置する時や、他の商品陳列具上に商品を移し変える時等仕切板兼用引出し具が邪魔になる時外せるし、斬新なデザインの仕切板兼用引出し具に取り替えることも出来、様々な要望に対応出来る。また、商品を前出しするため仕切板兼用引出し具により商品押し板を引き出した後、仕切板兼用引出し具を元に押し戻すと、仕切板兼用引出し具が商品押し板上を滑り移動して元に戻り、商品押し板は引き出した位置に留まり、戻らない分その負荷が減る。従って、上記効果に加え、商品押し板は商品を前出しする分だけ実質的に移動するだけになり、商品押し板の無駄な動きが無くなり、負荷も減るから、その分長持ちし、前出し動作も容易になる。
【００２８】
請求項２の発明によれば、底板のスライド溝の長さを規制することで、商品押し板の移動量を制限できストッパー機構とすることも可能になり、少なくとも商品押し板及び仕切板兼用引出し具を商品取出部位近傍で停止させることが出来る。
【００３１】
請求項３の発明によれば、商品押し板に押し面積拡大補助具を着せば、その分大きな商品を前出し出来る。従って、上記効果に加え、押し面積拡大補助具で対応できるサイズの商品まで、スムーズに前出し出来る。
【００３２】
請求項４の発明によれば、仕切板兼用引出し具により商品を前出しした際、棚板に設けた商品落下防止具に商品が当たり、それ以上商品を前出し出来ず、商品、商品押し板及び仕切板兼用引出し具を棚板から脱落させない。従って、上記効果に加え、勢い良くあるいは不用意に引出し具を引き出しても、商品のみならず商品押し板や仕切板兼用引出し具も脱落させず、落下による怪我や破損等のトラブルを未然に防ぐことが出来る。
【図面の簡単な説明】
【図１】本発明の実施形態である商品陳列具の使用状態を示す斜視図。
【図２】図１の商品陳列具の斜視図。
【図３】図１の商品陳列具を構成する商品押し板と仕切板兼用引出し具との取り付け状況を示す斜視図。
【図４】図２のIV−IV線に沿う断面図。
【図５】本発明の他の実施形態である商品陳列具を示す斜視図。
【図６】本発明の他の実施形態である商品陳列具の使用状態を示す斜視図。
【図７】図６の商品陳列具を構成する商品押し板と仕切板兼用引出し具との取り付け状況を示す斜視図。
【図８】本発明の他の実施形態である商品陳列具の使用状態を示す斜視図。
【図９】本発明の他の実施形態である商品陳列具の使用状態を示す斜視図。
【図１０】図９の商品陳列具を構成する商品押し板と押し面積拡大補助具との取り付け状況を示す斜視図。
【図１１】本発明の他の実施形態である商品陳列具の使用状態を示す斜視図。
【図１２】従来例を示す斜視図。
【図１３】従来例を示す側面図。
【図１４】従来例を示す斜視図。
【図１５】従来例を示す一部を断面した側面図。
【符号の説明】
１、１Ａ、１ａ、１ｂ、１ｃ、５６、６２、６４、６８
商品陳列具
２、５２                商品
３、５８                棚板
３ａ                    切欠
３ｂ                    表示部
４、５８ａ              底板
５、６０                商品押し板
６、６ａ                仕切板兼用引出し具
７                      ストッパー機構
８、５７                仕切り板
１０                    レール
１１、５９              スライド溝
１１ａ                  端部
１２                    スライド片
１３                    嵌め穴
１４、６９              商品落下防止具
１５                    溝部
２０                    突起
２１、２２              孔
２１ａ                  長孔
３０                    押し面積拡大補助具
３１                    スリット
３２                    掛止部
５０                    商品陳列ケース
５１                    商品陳列棚
５３                    収納ケース
５４                    ローラ
５５                    扉
６１                    爪片
６３                    引出し具
６５                    Ｌ型仕切り板
６６                    案内板
６７                    衝合片
Ｇ                      商品取出部位
【図１】
0004397068.tif 000002
【図２】
0004397068.tif 000003
【図３】
0004397068.tif 000004
【図４】
0004397068.tif 000005
【図５】
0004397068.tif 000006
【図６】
0004397068.tif 000007
【図７】
0004397068.tif 000008
【図８】
0004397068.tif 000009
【図９】
0004397068.tif 000010
【図１０】
0004397068.tif 000011
【図１１】
0004397068.tif 000012
【図１２】
0004397068.tif 000013
【図１３】
0004397068.tif 000014
【図１４】
0004397068.tif 000015
【図１５】
0004397068.tif 000016